(57)【要約】【課題】物流荷扱い時の包装材破損を低減させるとともに、物流での荷受時に製品の打痕等の不具合を確認できる構成の貯湯式給湯機の梱包装置を提供すること。【解決手段】製品１の上面を覆う包装用天カバー１５と、製品１の底部に取り付け固定した包装用固定台１２と、製品１の角部にて、包装用天カバー１５と包装用固定台１２とを支持する包装支柱２０と、製品１の側面の一方側より覆う第一の側面保護カバー１７と、前記製品１の側面の他方側より覆う第二の側面保護カバー２１とを備え、第一の側面保護カバー１７と第二の側面保護カバー２１とがオーバーラップするように構成したことを特徴とする貯湯式給湯機の梱包装置。【選択図】図１
2011116419.tif 000002
【特許請求の範囲】
【請求項１】
製品の上面を覆う包装用天カバーと、前記製品の底部に取り付け固定した包装用固定台と、前記製品の角部にて、前記包装用天カバーと包装用固定台とを支持する包装支柱と、前記製品の側面の一方側より覆う第一の側面保護カバーと、前記製品の側面の他方側より覆う第二の側面保護カバーとを備え、前記第一の側面保護カバーと前記第二の側面保護カバーとがオーバーラップするように構成したことを特徴とする貯湯式給湯機の梱包装置。
【請求項２】
包装支柱に囲まれた製品の周囲を横方向に巻きつけて第一の側面保護カバーと第二の側面保護カバーとを固定する包装用ヨコバンドを備え、前記第一の側面保護カバーと前記第二の側面保護カバーとは、合せ部の一部分でオーバーラップさせるとともに、少なくとも前記オーバーラップ部が形成されない部分に、前記包装用ヨコバンドを配置する構成としたことを特徴とする請求項１に記載の貯湯式給湯機の梱包装置。
【請求項３】
第一の側面保護カバーおよび／または第二の側面保護カバーのオーバーラップの端面を略コの字状に折り返し、前記略コの字状折り返し部の端部を露出させない構成としたことを特徴とする請求項１または２に記載の貯湯式給湯機の梱包装置。
【請求項４】
一方の側面保護カバーのオーバーラップの端面を略コの字状に折り返し、前記略コの字状折り返し部にスリット部を設けるとともに、他方の保護カバー端面に突起部を設け、前記スリット部に前記突起部を挿入する構成としたことを特徴とする請求項１または２に記載の貯湯式給湯機の梱包装置。
【請求項５】
第一の側面保護カバーおよび第二の側面保護カバーに開口穴を設けたことを特徴とする請求項１〜４のいずれか１項に貯湯式給湯機の梱包装置。
【発明の詳細な説明】
【技術分野】
【０００１】
本発明は、電気温水器やヒートポンプ給湯機等における貯湯タンクユニットの梱包に関するものである。
【背景技術】
【０００２】
従来の貯湯式給湯機の梱包の構成図を図７に示す。図７において、製品１の張り出し部１０と包装用固定台１２の間に、張り出し部１０を保護するベース保護１６と、ベース保護１６を配設した製品１側面と隣り合わせの左右両側面を含む３面以上を一体的に保護する側面保護カバー１７を設けるとともに、側面保護カバー１７には梱包作業時に包装用固定台１２から脱落しないよう包装用固定台１２と係合する係合片１７Ａを設けている。
【０００３】
これによって、製品搬送時と製品落下時の損傷が防止され、また梱包と開梱作業の合理化とが図られると共に、材料をダンボール化することで、材料の回収リサイクルを可能にしている（例えば、特許文献１参照）。
【先行技術文献】
【特許文献】
【０００４】
【特許文献１】特開２００４−５１１５３号公報
【発明の概要】
【発明が解決しようとする課題】
【０００５】
しかしながら、従来の貯湯式給湯機の梱包は、側面保護カバー１７の横方向の固定が１本の包装用ヨコバンド１９のみであったため、図８に示すように、側面保護カバー１７の両端部において包装用ヨコバンド１９で固定されていない部分（たとえば図８においては包装用固定台１２に近い下側）が製品１に対して外側に開き、包装用固定台１２よりも外側に張り出す場合があった（図８における網掛け部分）。
【０００６】
さらに側面保護カバー１７の材料はダンボールであるため、湿度の高い梅雨期や雨天時などには水分を吸収して製品１に対する側面保護カバー１７の端面の開きが顕著になる場合もある。通常物流倉庫では、梱包された製品は、リフト等で運搬され、互いの製品同士を隣どうし密着させて配置されたり、あるいは製品の上に別の製品を乗せて配置されたりして、出荷までの間一時保管される。
【０００７】
この時側面保護カバー１７両端部が製品１に対して外側に開き包装用固定台１２よりも外側に張り出しているような場合、リフトで製品同士を密着させる際に、側面保護カバー１７端部の開き部分が干渉して、破れ・破損に至る課題を有していた。
【０００８】
本発明は、前記従来の課題を解決するもので、物流荷扱い時の包装材破損を低減させるとともに、物流での荷受時に製品の打痕等の不具合を確認できる構成の貯湯式給湯機の梱包装置を提供することを目的とする。
【課題を解決するための手段】
【０００９】
前記従来の課題を解決するために、本発明の貯湯式給湯機の梱包装置は、製品の上面を覆う包装用天カバーと、前記製品の底部に取り付け固定した包装用固定台と、前記製品の角部にて、前記包装用天カバーと包装用固定台とを支持する包装支柱と、前記製品の側面の一方側より覆う第一の側面保護カバーと、前記製品の側面の他方側より覆う第二の側面保護カバーとを備え、前記第一の側面保護カバーと前記第二の側面保護カバーとがオーバ
ーラップするように構成したことを特徴とするもので、側面保護カバーが製品に対して外側に開き、包装用固定台よりも外側に張り出すことを抑制することができる。
【発明の効果】
【００１０】
本発明によれば、物流荷扱い時の包装材破損を低減させるとともに、物流での荷受時に製品の打痕等の不具合を確認できる構成の貯湯式給湯機の梱包装置を提供できる。
【図面の簡単な説明】
【００１１】
【図１】実施の形態１における貯湯式給湯機の梱包の構成図
【図２】同後面保護カバーのコの字状加工部詳細断面図
【図３】図１のＤ部詳細断面図
【図４】実施の形態２における貯湯式給湯機の梱包の構成図
【図５】図４のＥ部詳細断面図
【図６】図４のＦ部詳細断面図
【図７】従来の貯湯式給湯機の梱包の構成図
【図８】従来の貯湯式給湯機の梱包における側面保護カバーが外側に開いた状態図
【発明を実施するための形態】
【００１２】
第１の発明は、製品の上面を覆う包装用天カバーと、前記製品の底部に取り付け固定した包装用固定台と、前記製品の角部にて、前記包装用天カバーと包装用固定台とを支持する包装支柱と、前記製品の側面の一方側より覆う第一の側面保護カバーと、前記製品の側面の他方側より覆う第二の側面保護カバーとを備え、前記第一の側面保護カバーと前記第二の側面保護カバーとがオーバーラップするように構成したことを特徴とする貯湯式給湯機の梱包装置で、側面保護カバーが製品に対して外側に開き、包装用固定台よりも外側に張り出すことを抑制することができる。
【００１３】
第２の発明は、包装支柱に囲まれた製品の周囲を横方向に巻きつけて第一の側面保護カバーと第二の側面保護カバーとを固定する包装用ヨコバンドを備え、前記第一の側面保護カバーと前記第二の側面保護カバーとは、合せ部の一部分でオーバーラップさせるとともに、少なくとも前記オーバーラップ部が形成されない部分に、前記包装用ヨコバンドを配置する構成としたことを特徴とするもので、側面保護カバーが製品に対して外側に開き、包装用固定台よりも外側に張り出すことを抑制することができる。
【００１４】
第３の発明は、第一の側面保護カバーおよび／または第二の側面保護カバーのオーバーラップの端面を略コの字状に折り返し、前記略コの字状折り返し部の端部を露出させない構成としたことを特徴とするもので、ダンボール端面部の強度を向上させると共に、側面保護カバーが製品に対して外側に開き、包装用固定台よりも外側に張り出すことをより確実に抑制することができる。
【００１５】
第４の発明は、一方の側面保護カバーのオーバーラップの端面を略コの字状に折り返し、前記略コの字状折り返し部にスリット部を設けるとともに、他方の保護カバー端面に突起部を設け、前記スリット部に前記突起部を挿入する構成としたことを特徴とするもので、側面保護カバーが製品に対して外側に開き、包装用固定台よりも外側に張り出すことをより確実に抑制することができる。
【００１６】
第５の発明は、第一の側面保護カバーおよび第二の側面保護カバーに開口穴を設けたことを特徴とするもので、製品に打痕等の不具合があった場合、物流荷受時その状態を発見でき消費者に打痕不良の製品が流出する可能性を低減させることができる。
【００１７】
以下、本発明の実施の形態について、図面を参照しながら説明する。なお、この実施の
形態によって本発明が限定されるものではない。
【００１８】
（実施の形態１）
図１は、本実施の形態における貯湯式給湯機の梱包の構成図である。
【００１９】
図１において、製品１の上面を覆う包装用天カバー１５と、製品１の底部に取り付け固定した包装用固定台１２と、製品１の角部にて、包装用天カバー１５と包装用固定台１２とを支持する包装支柱２０と、製品１の側面の一方側より覆う第一の側面保護カバー１７と、前記製品１の側面の他方側より覆う第二の側面保護カバー２１と、包装用天カバー１５と包装用固定台１２とを上下方向に挟み込んで固定する輪状の包装用タテバンド１８と、包装支柱２０に囲まれた製品１の周囲を横方向に巻きつけて第一の側面保護カバー１７と第二の側面保護カバー２１とを固定する包装用ヨコバンド１９とを備え、第一の側面保護カバー１７と第二の側面保護カバー２１とがオーバーラップするように構成してある。
【００２０】
第一の側面保護カバーである側面保護カバー１７の側面部分には、確認用穴２２Ａ（対向面側も同様とする）を設けている。この確認用穴２２Ａから物流での荷受時に、目視または触手によって製品の外観状態を確認することができる。
【００２１】
物流運搬時に梱包状態の製品１を落下などさせた場合、張り出し部１０（図７参照）を有する構成の貯湯式給湯機では、張り出し部１０先端部にストレスがかかり、外装材に打痕・しわ等の外観不良が発生することが多い。
【００２２】
従って、梱包側面部において張り出し部１０の先端部近傍に確認用穴２２Ａを設けることは有効である。同様に図１において、第二の側面保護カバーである後面保護カバー２１においても、前記側面保護カバー１７の場合と同様に、外観不良が発生しやすい部分に確認用穴２２Ｂを設けている。
【００２３】
なお、梱包材において、確認用穴２２Ａ、２２Ｂの近傍には、「荷受時に目視・触手にて製品の外観不良有無の確認を促す」内容の印刷を施し、作業者に注意喚起をするなどの方法も併せて行うことも有効である。
【００２４】
図１は、側面保護カバー１７と後面保護カバー２１とは、側面保護カバー１７の合せ部一部分（ここでは側面保護カバー１７の下方８０％程度の部分）においてオーバーラップ部分を設ける場合の梱包形態を示している。
【００２５】
側面保護カバー１７のオーバーラップ部分は、縦方向に折罫線を設け製品１側に折り曲げることができるよう、フラップ形状の構成を施している。一方、後面保護カバー２１のオーバーラップ部分は、コの字状に折り返し部を設けている。
【００２６】
さらに、折り返し部の先端（Ｃ部と記載）は、図２に示すようにコの字状に折り曲げる構成としている。コの字状に折り曲げることで、ダンボール切断面が露出するのを避け、強度をアップさせる効果がある。
【００２７】
オーバーラップ部（Ｂ部と記載）の構成は、図３に示すように、側面保護カバー１７のフラップ形状の部分を製品１側へ倒し、後面保護カバー２１のコの字状に先端を加工した折り返し部で押さえつける構成としている。そして、オーバーラップ部分を包装用ヨコバンド１９にて固定する。
【００２８】
このように、図３のような構成とした場合、引っかかりやすいダンボール切断面が露出することを避けることができるため、物流荷扱い時に他の製品と干渉してダンボール端面
がひっかかる可能性を小さくすることができ、包装材破損を低減させることができる。
【００２９】
図１において、オーバーラップ部を形成しない部分（ここでは側面保護カバー１７の上方２０％程度の部分）は、包装用ヨコバンド１９にて固定することで製品１に対して外側に開き、包装用固定台よりも外側に張り出すことを抑制することができる。
【００３０】
以上のように本実施の形態においては、側面用保護カバー１７と後面用保護カバー２１との合せ部のオーバーラップ部分は、特にダンボール切断部の端面部をコの字状に折り返す構成を採用して形成することで、ひっかかりやすいダンボール切断面を露出させることを避けることができるため、物流荷扱い時に他の製品と干渉してダンボール端面がひっかかる可能性を小さくすることができ、包装材破損を低減させることができる。
【００３１】
また、確認用穴を設けて、製品の外観状態を容易に確認することを可能とすることで、製品に打痕等の不具合があった場合、物流荷受時その状態を発見でき消費者に打痕不良の製品が流出する可能性を低減させることができる。
【００３２】
（実施の形態２）
図４は、本実施の形態における貯湯式給湯機の梱包の構成図である。図１の（実施の形態１）における貯湯式給湯機の梱包の構成と異なるところは、図５に示すように後面保護カバー２１のコの字状の折り返し部分にスリットを設けたところと、側面保護カバー１７のオーバーラップ形成部分に前記スリットに挿入するための突起を設けたところである。
【００３３】
スリットと突起とのかみ合せ状態は、たとえば図４の拡大図および図６の断面図に示すようなものであり、突起先端に引っかかり部を設けスリットから外れにくくしている。
【００３４】
以上のように本実施の形態においては、前記（実施の形態１）の構成に加え、側面保護カバー１７と後面保護カバーとのオーバーラップ部分にスリットと突起によるかみ合せ構成を採用することで、さらに確実にひっかかりやすいダンボール切断面を露出させることを避けることができるため、物流荷扱い時に他の製品と干渉してダンボール端面がひっかかる可能性を小さくすることができ、包装材破損を低減させることができる。
【００３５】
また、確認用穴を設けて、製品の外観状態を容易に確認することを可能とすることで、製品に打痕等の不具合があった場合、物流荷受時その状態を発見でき消費者に打痕不良の製品が流出する可能性を低減させることができる。
【産業上の利用可能性】
【００３６】
以上のように、本発明は貯湯式給湯機に限らず、直方体形状の重量物、たとえば冷蔵庫等の梱包においても利用することができる。
【符号の説明】
【００３７】
１  製品
１２  包装用固定台
１５  包装用天カバー
１７  側面保護カバー
１９  包装用ヨコバンド
２０  包装支柱
２１  後面保護カバー
２２Ａ  確認用穴（側面保護カバー部）
２２Ｂ  確認用穴（後面保護カバー部）
【図１】
2011116419.tif 000003
【図２】
2011116419.tif 000004
【図３】
2011116419.tif 000005
【図４】
2011116419.tif 000006
【図５】
2011116419.tif 000007
【図６】
2011116419.tif 000008
【図８】
2011116419.tif 000009
【図７】
2011116419.tif 000010